(57)【要約】【課題】電気機器の電力消費情報をユーザに提示する構成において、ユーザの利便性を向上させることが可能な電力計測装置、電力管理システム、管理装置、電力管理方法および電力管理プログラムを提供する。【解決手段】電力計測装置１０１は、電気機器１２１を接続可能な接続部１２と、外部から受けた電力を接続部１２経由で電気機器１２１に供給するための電力伝達部１１と、電力伝達部１１によって電気機器１２１に供給される電流を少なくとも測定するための測定部１３と、測定部１３の測定結果を示す電力消費情報をユーザに音声で提示する制御を行なうための音声提示制御部１４とを備える。【選択図】図４
2013015350.tif 000002
【特許請求の範囲】
【請求項１】
電気機器を接続可能な接続部と、
外部から受けた電力を前記接続部経由で前記電気機器に供給するための電力伝達部と、
前記電力伝達部によって前記電気機器に供給される電流を少なくとも測定するための測定部と、
前記測定部の測定結果を示す電力消費情報をユーザに音声で提示する制御を行なうための音声提示制御部とを備える、電力計測装置。
【請求項２】
前記電力計測装置は、さらに、
ユーザの音声を録音するための録音部を備え、
前記音声提示制御部は、前記電力消費情報をユーザに音声で提示するとともに、前記録音部によって録音された音声をユーザに提示する制御を行なう、請求項１に記載の電力計測装置。
【請求項３】
前記音声提示制御部は、前記録音部によって録音された音声を、前記電気機器の名称または設置場所としてユーザに提示する制御を行なう、請求項２に記載の電力計測装置。
【請求項４】
前記電力計測装置は、さらに、
前記音声提示制御部の制御に基づいて、前記電力消費情報を管理装置へ送信するための送信部と、
前記電力計測装置が前記管理装置と通信コネクションを確立するための処理を行なう際に、前記電力消費情報の音声提示に関するユーザの設定を受け付けるための設定部とを備え、
前記音声提示制御部は、前記設定部によって受け付けられた前記設定に基づいて、前記電力消費情報をユーザに音声で提示する制御を行なう、請求項１から請求項３のいずれか１項に記載の電力計測装置。
【請求項５】
前記設定部は、前記電力消費情報を音声で出力するタイミングまたは条件に関する設定を受け付ける、請求項４に記載の電力計測装置。
【請求項６】
前記設定部は、前記電力消費情報を音声で出力する機器を特定するための設定を受け付ける、請求項４に記載の電力計測装置。
【請求項７】
前記設定部は、前記通信コネクションを確立するための処理を行なう指示をユーザが前記電力計測装置に対して与えるための操作ボタン、および前記電力消費情報の音声提示に関する設定をユーザが前記電力計測装置に対して与えるための操作ボタンを含み、各前記操作ボタンは共通化されている、請求項４から請求項６のいずれか１項に記載の電力計測装置。
【請求項８】
前記電力計測装置は、さらに、
前記音声提示制御部の制御に基づいて音声で前記電力消費情報を出力するための音声出力部を備える、請求項１から請求項７のいずれか１項に記載の電力計測装置。
【請求項９】
電気機器を接続可能であり、外部から受けた電力を前記電気機器に供給するための複数の電力計測装置と、
前記電力計測装置を管理するための管理装置とを備える電力管理システムであって、
前記電力計測装置は、前記電気機器に供給される電流を少なくとも測定し、測定結果を示す電力消費情報を前記管理装置へ送信し、
前記管理装置は、前記電力計測装置から受信した前記電力消費情報を他の前記電力計測装置へ転送し、
前記他の電力計測装置は、前記管理装置から受信した前記電力消費情報を音声で出力する、電力管理システム。
【請求項１０】
前記管理装置は、複数の前記電力計測装置から受信した前記電力消費情報に基づいて、電力消費情報の転送先とすべき前記電力計測装置を選択する、請求項９に記載の電力管理システム。
【請求項１１】
前記他の電力計測装置は、自己に接続された電気機器の前記測定結果に基づいて、前記管理装置から受信した前記電力消費情報を音声で出力するか否かを判断する、請求項９に記載の電力管理システム。
【請求項１２】
電気機器を接続可能であり、かつ外部から受けた電力を前記電気機器に供給するための複数の電力計測装置を管理するための管理装置であって、
前記電気機器に供給される電流を少なくとも測定した結果を示す電力消費情報を前記電力計測装置から受信するための受信部と、
前記受信部によって受信された前記電力消費情報を、音声出力させるために他の前記電力計測装置へ転送するための転送部とを備える、管理装置。
【請求項１３】
電気機器を接続可能な接続部を備える電力計測装置における電力管理方法であって、
外部から受けた電力を前記接続部経由で前記電気機器に供給するステップと、
前記接続部経由で前記電気機器に供給される電流を少なくとも測定するステップと、
測定した結果を示す電力消費情報をユーザに音声で提示する制御を行なうステップとを含む、電力管理方法。
【請求項１４】
電気機器を接続可能であり、外部から受けた電力を前記電気機器に供給するための複数の電力計測装置と、
前記電力計測装置を管理するための管理装置とを備える電力管理システムにおける電力管理方法であって、
前記電力計測装置が、前記電気機器に供給される電流を少なくとも測定し、測定結果を示す電力消費情報を前記管理装置へ送信するステップと、
前記管理装置が、前記電力計測装置から受信した前記電力消費情報を他の前記電力計測装置へ転送するステップと、
前記他の電力計測装置が、前記管理装置から受信した前記電力消費情報を音声で出力するステップとを含む、電力管理方法。
【請求項１５】
電気機器を接続可能な接続部を備える電力計測装置において用いられる電力管理プログラムであって、コンピュータに、
外部から受けた電力を前記接続部経由で前記電気機器に供給するステップと、
前記接続部経由で前記電気機器に供給される電流を少なくとも測定するステップと、
測定した結果を示す電力消費情報をユーザに音声で提示する制御を行なうステップとを実行させるための、電力管理プログラム。
【請求項１６】
電気機器を接続可能であり、外部から受けた電力を前記電気機器に供給するための複数の電力計測装置と、
前記電力計測装置を管理するための管理装置とを備える電力管理システムにおいて用いられる電力管理プログラムであって、コンピュータに、
前記電気機器に供給される電流を少なくとも測定し、測定結果を示す電力消費情報を前記電力計測装置から前記管理装置へ送信するステップと、
前記電力計測装置から受信した前記電力消費情報を前記管理装置から他の前記電力計測装置へ転送するステップと、
前記管理装置から受信した前記電力消費情報を前記他の電力計測装置から音声で出力するステップとを実行させるための、電力管理プログラム。
【発明の詳細な説明】
【技術分野】
【０００１】
本発明は、電力計測装置、電力管理システム、管理装置、電力管理方法および電力管理プログラムに関し、特に、電気機器の電力消費を計測した結果をユーザに提示するための電力計測装置、電力管理システム、管理装置、電力管理方法および電力管理プログラムに関する。
【背景技術】
【０００２】
家庭および職場における電力消費量をユーザが把握するために、電力センサおよび通信モジュール等を内蔵した電源タップが開発されている。この電源タップに電気機器を接続し、収集した電力消費情報をたとえば家庭内のホームゲートウェイへ送信する。これにより、複数の電源タップの電力消費情報を集約し、ユーザに家庭内の電力消費情報を提示する。
【０００３】
このような電源タップの一例として、たとえば、特開２００８−１９７７５５号公報（特許文献１）には、以下のような構成が開示されている。すなわち、造営物側コンセント口に接続可能なＡＣプラグと、機器のＡＣプラグの差込接続が可能なコンセント口とを備えた電源タップにおいて、当該電源タップのＡＣプラグに接続された電力線通信モデムと、当該電源タップのＡＣプラグとコンセント口との間に介在するプログラマブルコントローラとを内蔵する。電力線通信モデムでは電力線搬送通信上でプログラマブルコントローラの制御条件を付加したプログラムデータを受け取るとともにその受け取ったプログラムデータをプログラマブルコントローラに送る。一方、プログラマブルコントローラでは上記送られたプログラムデータに応答して上記コンセント口に接続した機器の電源をオンオフ制御できる。
【先行技術文献】
【特許文献】
【０００４】
【特許文献１】特開２００８−１９７７５５号公報
【発明の概要】
【発明が解決しようとする課題】
【０００５】
各電源タップによって収集された家庭内の電力消費情報は、ユーザがディスプレイを備えた装置等を用いて確認することが可能である。しかしながら、ユーザは、当該装置に対して何らかの操作を行って電力消費情報を取得する必要があるため、この作業が繁雑であると感じる場合もある。
【０００６】
この発明は、上述の課題を解決するためになされたもので、その目的は、電気機器の電力消費情報をユーザに提示する構成において、ユーザの利便性を向上させることが可能な電力計測装置、電力管理システム、管理装置、電力管理方法および電力管理プログラムを提供することである。
【課題を解決するための手段】
【０００７】
上記課題を解決するために、この発明のある局面に係わる電力計測装置は、電気機器を接続可能な接続部と、外部から受けた電力を上記接続部経由で上記電気機器に供給するための電力伝達部と、上記電力伝達部によって上記電気機器に供給される電流を少なくとも測定するための測定部と、上記測定部の測定結果を示す電力消費情報をユーザに音声で提示する制御を行なうための音声提示制御部とを備える。
【０００８】
このような構成により、ユーザは、電力消費情報を表示等するための装置に対して何らかの操作を行なうことなく、電力消費情報を確認することができるため、電力消費情報の確認作業を繁雑と感じることがなくなる。したがって、電気機器の電力消費情報をユーザに提示する構成において、ユーザの利便性を向上させることができる。
【０００９】
好ましくは、上記電力計測装置は、さらに、ユーザの音声を録音するための録音部を備え、上記音声提示制御部は、上記電力消費情報をユーザに音声で提示するとともに、上記録音部によって録音された音声をユーザに提示する制御を行なう。
【００１０】
このような構成により、ユーザは、電力計測装置または他の装置に対するキーボード操作等によって各種情報を登録する必要がなくなるため、ユーザの利便性をさらに向上させることができる。
【００１１】
より好ましくは、上記音声提示制御部は、上記録音部によって録音された音声を、上記電気機器の名称または設置場所としてユーザに提示する制御を行なう。
【００１２】
このような構成により、ユーザは、たとえば家庭内における各電気機器の電力消費を把握するのに重要な情報である機器名称および設置場所を、キーボード操作等により入力することなく登録することができるため、ユーザの利便性をさらに向上させることができる。
【００１３】
好ましくは、上記電力計測装置は、さらに、上記音声提示制御部の制御に基づいて、上記電力消費情報を管理装置へ送信するための送信部と、上記電力計測装置が上記管理装置と通信コネクションを確立するための処理を行なう際に、上記電力消費情報の音声提示に関するユーザの設定を受け付けるための設定部とを備え、上記音声提示制御部は、上記設定部によって受け付けられた上記設定に基づいて、上記電力消費情報をユーザに音声で提示する制御を行なう。
【００１４】
このような構成により、ユーザは、電力計測装置の設置時に必要となる通信コネクション確立の際に音声通知の設定を行なうことができるため、ユーザの利便性をさらに向上させることができる。
【００１５】
より好ましくは、上記設定部は、上記電力消費情報を音声で出力するタイミングまたは条件に関する設定を受け付ける。
【００１６】
このような構成により、電力消費情報の音声通知を、ユーザ所望のタイミングまたは条件で適切に行なうことができるため、ユーザの利便性をさらに向上させることができる。
【００１７】
より好ましくは、上記設定部は、上記電力消費情報を音声で出力する機器を特定するための設定を受け付ける。
【００１８】
このような構成により、電力消費情報の音声通知を、ユーザ所望の場所で適切に行なうことができるため、ユーザの利便性をさらに向上させることができる。
【００１９】
より好ましくは、上記設定部は、上記通信コネクションを確立するための処理を行なう指示をユーザが上記電力計測装置に対して与えるための操作ボタン、および上記電力消費情報の音声提示に関する設定をユーザが上記電力計測装置に対して与えるための操作ボタンを含み、各上記操作ボタンは共通化されている。
【００２０】
このような構成により、ユーザは、同じ操作ボタンを用いて通信コネクション確立処理の開始、および音声通知の設定の両方を行なうことができるため、ユーザの利便性をさらに向上させることができる。
【００２１】
好ましくは、上記電力計測装置は、さらに、上記音声提示制御部の制御に基づいて音声で上記電力消費情報を出力するための音声出力部を備える。
【００２２】
このように、電気機器が接続された電力計測装置から当該電気機器の電力消費情報を音声出力する構成により、ユーザは、音声出力されている電力消費情報に対応する電気機器をすぐに認識することができるため、ユーザの利便性をさらに向上させることができる。
【００２３】
上記課題を解決するために、この発明のある局面に係わる電力管理システムは、電気機器を接続可能であり、外部から受けた電力を上記電気機器に供給するための複数の電力計測装置と、上記電力計測装置を管理するための管理装置とを備える電力管理システムであって、上記電力計測装置は、上記電気機器に供給される電流を少なくとも測定し、測定結果を示す電力消費情報を上記管理装置へ送信し、上記管理装置は、上記電力計測装置から受信した上記電力消費情報を他の上記電力計測装置へ転送し、上記他の電力計測装置は、上記管理装置から受信した上記電力消費情報を音声で出力する。
【００２４】
このような構成により、ユーザは、電力消費情報を表示等するための装置に対して何らかの操作を行なうことなく、電力消費情報を確認することができるため、電力消費情報の確認作業を繁雑と感じることがなくなる。また、電気機器が接続された電力計測装置以外の電力計測装置から当該電気機器の電力消費情報を音声出力する構成により、各電力計測装置の設置環境に応じて適切な電力計測装置から音声出力を行なうことができる。したがって、電気機器の電力消費情報をユーザに提示する構成において、ユーザの利便性を向上させることができる。
【００２５】
好ましくは、上記管理装置は、複数の上記電力計測装置から受信した上記電力消費情報に基づいて、電力消費情報の転送先とすべき上記電力計測装置を選択する。
【００２６】
このような構成により、たとえば家庭内で稼働中の電気機器の設置場所において電力消費情報を音声出力する等、各電力計測装置の使用環境に応じて適切な電力計測装置から音声出力を行なうことができるため、電力消費情報をより効率的にユーザに提示することができる。
【００２７】
好ましくは、上記他の電力計測装置は、自己に接続された電気機器の上記測定結果に基づいて、上記管理装置から受信した上記電力消費情報を音声で出力するか否かを判断する。
【００２８】
このような構成により、たとえば家庭内で稼働中の電気機器の設置場所において電力消費情報を音声出力する等、各電力計測装置の使用環境に応じて適切な電力計測装置から音声出力を行なうことができるため、電力消費情報をより効率的にユーザに提示することができる。
【００２９】
上記課題を解決するために、この発明のある局面に係わる管理装置は、電気機器を接続可能であり、かつ外部から受けた電力を上記電気機器に供給するための複数の電力計測装置を管理するための管理装置であって、上記電気機器に供給される電流を少なくとも測定した結果を示す電力消費情報を上記電力計測装置から受信するための受信部と、上記受信部によって受信された上記電力消費情報を、音声出力させるために他の上記電力計測装置へ転送するための転送部とを備える。
【００３０】
このような構成により、ユーザは、電力消費情報を表示等するための装置に対して何らかの操作を行なうことなく、電力消費情報を確認することができるため、電力消費情報の確認作業を繁雑と感じることがなくなる。また、電気機器が接続された電力計測装置以外の電力計測装置から当該電気機器の電力消費情報を音声出力する構成により、各電力計測装置の設置環境に応じて適切な電力計測装置から音声出力を行なうことができる。したがって、電気機器の電力消費情報をユーザに提示する構成において、ユーザの利便性を向上させることができる。
【００３１】
上記課題を解決するために、この発明のある局面に係わる電力管理方法は、電気機器を接続可能な接続部を備える電力計測装置における電力管理方法であって、外部から受けた電力を上記接続部経由で上記電気機器に供給するステップと、上記接続部経由で上記電気機器に供給される電流を少なくとも測定するステップと、測定した結果を示す電力消費情報をユーザに音声で提示する制御を行なうステップとを含む。
【００３２】
このような構成により、ユーザは、電力消費情報を表示等するための装置に対して何らかの操作を行なうことなく、電力消費情報を確認することができるため、電力消費情報の確認作業を繁雑と感じることがなくなる。したがって、電気機器の電力消費情報をユーザに提示する構成において、ユーザの利便性を向上させることができる。
【００３３】
またこの発明の別の局面に係わる電力管理方法は、電気機器を接続可能であり、外部から受けた電力を上記電気機器に供給するための複数の電力計測装置と、上記電力計測装置を管理するための管理装置とを備える電力管理システムにおける電力管理方法であって、上記電力計測装置が、上記電気機器に供給される電流を少なくとも測定し、測定結果を示す電力消費情報を上記管理装置へ送信するステップと、上記管理装置が、上記電力計測装置から受信した上記電力消費情報を他の上記電力計測装置へ転送するステップと、上記他の電力計測装置が、上記管理装置から受信した上記電力消費情報を音声で出力するステップとを含む。
【００３４】
このような構成により、ユーザは、電力消費情報を表示等するための装置に対して何らかの操作を行なうことなく、電力消費情報を確認することができるため、電力消費情報の確認作業を繁雑と感じることがなくなる。また、電気機器が接続された電力計測装置以外の電力計測装置から当該電気機器の電力消費情報を音声出力する構成により、各電力計測装置の設置環境に応じて適切な電力計測装置から音声出力を行なうことができる。したがって、電気機器の電力消費情報をユーザに提示する構成において、ユーザの利便性を向上させることができる。
【００３５】
上記課題を解決するために、この発明のある局面に係わる電力管理プログラムは、電気機器を接続可能な接続部を備える電力計測装置において用いられる電力管理プログラムであって、コンピュータに、外部から受けた電力を上記接続部経由で上記電気機器に供給するステップと、上記接続部経由で上記電気機器に供給される電流を少なくとも測定するステップと、測定した結果を示す電力消費情報をユーザに音声で提示する制御を行なうステップとを実行させるためのプログラムである。
【００３６】
このような構成により、ユーザは、電力消費情報を表示等するための装置に対して何らかの操作を行なうことなく、電力消費情報を確認することができるため、電力消費情報の確認作業を繁雑と感じることがなくなる。したがって、電気機器の電力消費情報をユーザに提示する構成において、ユーザの利便性を向上させることができる。
【００３７】
またこの発明の別の局面に係わる電力管理プログラムは、電気機器を接続可能であり、外部から受けた電力を上記電気機器に供給するための複数の電力計測装置と、上記電力計測装置を管理するための管理装置とを備える電力管理システムにおいて用いられる電力管理プログラムであって、コンピュータに、上記電気機器に供給される電流を少なくとも測定し、測定結果を示す電力消費情報を上記電力計測装置から上記管理装置へ送信するステップと、上記電力計測装置から受信した上記電力消費情報を上記管理装置から他の上記電力計測装置へ転送するステップと、上記管理装置から受信した上記電力消費情報を上記他の電力計測装置から音声で出力するステップとを実行させるためのプログラムである。
【００３８】
このような構成により、ユーザは、電力消費情報を表示等するための装置に対して何らかの操作を行なうことなく、電力消費情報を確認することができるため、電力消費情報の確認作業を繁雑と感じることがなくなる。また、電気機器が接続された電力計測装置以外の電力計測装置から当該電気機器の電力消費情報を音声出力する構成により、各電力計測装置の設置環境に応じて適切な電力計測装置から音声出力を行なうことができる。したがって、電気機器の電力消費情報をユーザに提示する構成において、ユーザの利便性を向上させることができる。
【発明の効果】
【００３９】
本発明によれば、電気機器の電力消費情報をユーザに提示する構成において、ユーザの利便性を向上させることができる。
【図面の簡単な説明】
【００４０】
【図１】本発明の実施の形態に係る電力管理システムの構成を示す図である。
【図２】本発明の実施の形態に係る電力管理システムを設けた家庭内のネットワーク構成を示す図である。
【図３】本発明の実施の形態に係る電源タップの外観を概略的に示す図である。
【図４】本発明の実施の形態に係る電源タップの構成を示す図である。
【図５】本発明の実施の形態に係るホームゲートウェイの構成を示す図である。
【図６】本発明の実施の形態に係る電源タップが電力消費情報の提示処理を行なう際の基本的な動作手順を定めたフローチャートである。
【図７】本発明の実施の形態に係る電源タップが電力消費情報の提示処理を行なう際の具体的な動作手順を定めたフローチャートである。
【図８】本発明の実施の形態に係る電源タップが電力消費情報の提示処理を行なう際の具体的な動作手順の他の例を定めたフローチャートである。
【図９】本発明の実施の形態に係る電源タップが備える設定ボタンを示す図である。
【図１０】本発明の実施の形態に係る電源タップにおける音声通知設定の具体例を示す図である。
【図１１】本発明の実施の形態に係る電力管理システムが電力消費情報の転送および音声出力処理を行なう際の動作手順を定めたシーケンス図である。
【図１２】本発明の実施の形態に係る電力管理システムが電力消費情報の転送および音声出力処理を行なう際の動作手順の他の例を定めたシーケンス図である。
【発明を実施するための形態】
【００４１】
以下、本発明の実施の形態について図面を用いて説明する。なお、図中同一または相当部分には同一符号を付してその説明は繰り返さない。
【００４２】
［構成および基本動作］
図１は、本発明の実施の形態に係る電力管理システムの構成を示す図である。
【００４３】
図１を参照して、電力管理システム２０１は、たとえば家庭内に構築され、複数の電源タップ（電力計測装置）１０１と、分電盤１０２に取り付けられたＣＴ（Current Transformer）クランプ（電力計測装置）と、無線アダプタ１０３と、ホームゲートウェイ（管理装置）１０４と、ＤＰＦ（Digital Photo Frame）１０５とを備える。
【００４４】
電源タップ１０１および無線アダプタ１０３は、たとえばＺｉｇＢｅｅ規格に従う無線信号を送受信する。ＣＴクランプおよび無線アダプタ１０３も、たとえばＺｉｇＢｅｅ規格に従う無線信号を送受信する。ホームゲートウェイ１０４およびＤＰＦ１０５は、たとえばＩＥＥＥ８０２．１１規格の無線ＬＡＮ（Local Area Network）方式に従って無線信号を送受信する。なお、電力管理システム２０１におけるこれらの通信規格は一例であり、たとえば無線ＬＡＮの通信のみが行われてもよい。
【００４５】
ＣＴクランプは、たとえば、分電盤１０２の主幹部に取り付けられ、系統側電力線から分電盤１０２を介して家庭内の各部に供給される電力を測定し、測定結果を示す電力消費情報を無線アダプタ１０３へ無線信号によって送信する。
【００４６】
電源タップ１０１は、電気機器を接続可能であり、自己に接続された電気機器１２１に分電盤１０２から受けた電力を供給する。
【００４７】
具体的には、電源タップ１０１は、系統側電力線からの電力を分電盤１０２経由で受けて、自己に接続されたエアコンおよびテレビ等の電気機器１２１に電力を供給する。また、電源タップ１０１は、たとえば、自己に接続された電気機器１２１に供給される電力を測定し、測定結果を示す電力消費情報を無線アダプタ１０３へ無線信号によって送信する。
【００４８】
無線アダプタ１０３は、通信プロトコルの変換処理を行ない、電源タップ１０１およびＣＴクランプから受信した電力消費情報をホームゲートウェイ１０４へ送信する。なお、無線アダプタ１０３に相当する機能をホームゲートウェイ１０４に組み込むことも可能である。
【００４９】
ホームゲートウェイ１０４は、無線アダプタ１０３から受信した電力消費情報をＤＰＦ１０５、およびインターネット３０１経由でサーバ群１５１へ送信する。
【００５０】
ＤＰＦ１０５は、ホームゲートウェイ１０４から受信した電力消費情報を示す音声および映像を出力する。
【００５１】
サーバ群１５１は、各家庭からの電力消費情報を収集する。収集された情報は、たとえば、ユーザがＤＰＦ１０５等によって閲覧可能にするために、各家庭の電力消費に関する統計資料の作成に用いられる。
【００５２】
図２は、本発明の実施の形態に係る電力管理システムを設けた家庭内のネットワーク構成を示す図である。
【００５３】
図２を参照して、ホームゲートウェイ１０４には、さらに、ホームネットワーク１０６を介してテレビ１０７および冷蔵庫１０８等の電気機器が接続され、また、ＷｉＦｉネットワーク１０９を介してＤＰＦ１０５およびパーソナルコンピュータ（ＰＣ）１１０等が接続される。
【００５４】
ホームゲートウェイ１０４は、自己に接続された各ネットワークにおける機器を管理する。
【００５５】
図３は、本発明の実施の形態に係る電源タップの外観を概略的に示す図である。図４は、本発明の実施の形態に係る電源タップの構成を示す図である。
【００５６】
図３および図４を参照して、電源タップ１０１は、電力伝達部１１と、接続部１２と、測定部１３と、音声提示制御部１４と、送受信部１５と、設定部１６と、音声出力部１７と、録音部１８とを備える。
【００５７】
接続部１２は、たとえばコンセント（アウトレット）を含み、電気機器１２１を接続可能である。このコンセントは、一つでもよく、複数あってもよい。
【００５８】
電力伝達部１１は、外部から受けた電力すなわち分電盤１０２から受けた電力を接続部１２経由で電気機器１２１に供給する。電力伝達部１１は、インレットと、該インレットとアウトレットとを切断可能に接続するリレーとを含む。リレーは、アウトレットへの給電およびその停止を切り替えるために用いられる。電力伝達部１１は、命令を受けて該リレーを動作させる。
【００５９】
測定部１３は、電力伝達部１１によって電気機器１２１に供給される電流を少なくとも測定し、測定結果を音声提示制御部１４へ出力する。たとえば、測定部１３は、電気機器１２１に供給される電流および電圧を測定することにより、電気機器１２１に供給される電力を測定する。ここで、電力消費情報は、測定値そのものであってもよいし、測定値に対して丸め処理等が行われた値であってもよいし、測定した電流値および電圧値から算出された電力値であってもよい。
【００６０】
音声提示制御部１４は、測定部１３の測定結果を示す電力消費情報を作成し、作成した電力消費情報をユーザに音声で提示する制御を行なう。ここで、電力消費情報は、測定部１３の測定値そのものであってもよいし、測定値に対して丸め処理が行われた値であってもよいし、測定部１３によって測定された電流値および電圧値から算出された電力値であってもよい。
【００６１】
送受信部１５は、音声提示制御部１４の制御に基づいて、音声提示制御部１４によって作成された電力消費情報を無線アダプタ１０３経由でホームゲートウェイ１０４へ送信する。
【００６２】
設定部１６は、電力消費情報の音声提示に関するユーザの設定を受け付け、設定内容を示す設定情報を音声提示制御部１４へ出力する。たとえば、設定部１６は、電力消費情報を音声で出力するタイミングまたは条件に関する設定を受け付ける。また、たとえば、設定部１６は、電力消費情報を音声で出力する機器を特定するための設定を受け付ける。
【００６３】
音声出力部１７は、たとえばスピーカを含み、音声提示制御部１４の制御に基づいて音声で電力消費情報を出力する。
【００６４】
録音部１８は、たとえばマイクを含み、ユーザの音声を録音し、録音結果を示す録音情報を音声提示制御部１４へ出力する。
【００６５】
図５は、本発明の実施の形態に係るホームゲートウェイの構成を示す図である。
【００６６】
図５を参照して、ホームゲートウェイ１０４は、タップネットワーク通信部（受信部）３１と、外部ネットワーク通信部３２と、ホームネットワーク通信部３３と、制御部（転送部）３４とを備える。
【００６７】
タップネットワーク通信部３１は、無線アダプタ１０３経由で電源タップ１０１およびＣＴクランプと通信する。外部ネットワーク通信部３２は、インターネット３０１経由でサーバ群１５１等と通信する。ホームネットワーク通信部３３は、ホームネットワーク１０６およびＷｉＦｉネットワーク１０９経由でＤＰＦ１０５等と通信する。
【００６８】
より詳細には、タップネットワーク通信部３１は、電源タップ１０１およびＣＴクランプからの電力消費情報を無線アダプタ１０３経由で受信して、制御部３４へ出力する。
【００６９】
制御部３４は、タップネットワーク通信部３１から受けた電力消費情報を外部ネットワーク通信部３２およびホームネットワーク通信部３３へ出力する。また、制御部３４は、タップネットワーク通信部３１から受けた電力消費情報を、タップネットワーク通信部３１へ折り返し、当該電力消費情報の送信元以外の電源タップ１０１へ転送する。
【００７０】
ここで、制御部３４は、タップネットワーク通信部３１から受けた電力消費情報の示す値に対して何らかの演算処理を行ない、演算処理後の電力消費情報をタップネットワーク通信部３１、外部ネットワーク通信部３２およびホームネットワーク通信部３３へ出力してもよい。
【００７１】
外部ネットワーク通信部３２は、制御部３４から受けた電力消費情報をインターネット３０１経由でサーバ群１５１へ送信する。
【００７２】
ホームネットワーク通信部３３は、制御部３４から受けた電力消費情報をホームネットワーク１０６およびＷｉＦｉネットワーク１０９経由でＤＰＦ１０５等へ送信する。
【００７３】
タップネットワーク通信部３１は、制御部３４から受けた電力消費情報を無線アダプタ１０３経由で電源タップ１０１へ送信する。
【００７４】
［動作］
次に、本発明の実施の形態に係る電力計測装置が電力消費情報の提示処理を行なう際の動作について図面を用いて詳細に説明する。
【００７５】
電力管理システム２０１における電源タップ１０１およびホームゲートウェイ１０４等の各装置は、以下に示すフローチャートおよびシーケンスにおける各ステップを図示しないメモリから読み出して実行する。このプログラムは、外部からインストールすることができる。このインストールされるプログラムは、たとえば記録媒体に格納された状態で流通する。
【００７６】
図６は、本発明の実施の形態に係る電源タップが電力消費情報の提示処理を行なう際の基本的な動作手順を定めたフローチャートである。
【００７７】
図６を参照して、まず、電源タップ１０１に電気機器１２１が接続される（ステップＳ１）。
【００７８】
次に、電力伝達部１１は、外部から受けた電力を接続部１２経由で電気機器１２１に供給する（ステップＳ２）。
【００７９】
次に、測定部１３は、電力伝達部１１によって電気機器１２１に供給される電流を少なくとも測定する（ステップＳ３）。
【００８０】
次に、音声提示制御部１４は、測定部１３の測定結果を示す電力消費情報をユーザに音声で提示する制御を行なう（ステップＳ４）。
【００８１】
図７は、本発明の実施の形態に係る電源タップが電力消費情報の提示処理を行なう際の具体的な動作手順を定めたフローチャートである。
【００８２】
図７を参照して、まず、ユーザが、電源タップ１０１に電気機器１２１を接続する（ステップＳ２１）。
【００８３】
次に、ユーザが、電源タップ１０１に接続される電気機器１２１の名称および設置場所等を、電源タップ１０１に設けられた録音部１８のマイクを用いて録音する。録音部１８は、ユーザから入力された音声を記録する（ステップＳ２２）。
【００８４】
次に、電源タップ１０１における電力伝達部１１は、外部から受けた電力を接続部１２経由で電気機器１２１に供給する（ステップＳ２３）。
【００８５】
次に、電源タップ１０１における測定部１３は、電力伝達部１１によって電気機器１２１に供給される電流を少なくとも測定する（ステップＳ２４）。
【００８６】
次に、電源タップ１０１は、録音内容および電力消費情報をユーザに提示する。より詳細には、電源タップ１０１における音声提示制御部１４は、電力消費情報をユーザに音声で提示するとともに、録音部１８によって録音された音声をユーザに提示する制御を行なう。たとえば、音声提示制御部１４は、録音部１８によって録音された音声を、電気機器１２１の名称または設置場所としてユーザに提示する制御を行なう（ステップＳ２５）。
【００８７】
なお、上記のように電源タップ１０１に接続される電気機器１２１の名称および設置場所等の情報を音声入力する構成に限らず、ホームゲートウェイ１０４に対してキーボード操作等により当該情報を入力し、入力した情報を音声出力する構成であってもよい。
【００８８】
図８は、本発明の実施の形態に係る電源タップが電力消費情報の提示処理を行なう際の具体的な動作手順の他の例を定めたフローチャートである。
【００８９】
図８を参照して、まず、ユーザが、電源タップ１０１を操作することにより、無線アダプタ１０３との間でＺｉｇＢｅｅ通信を行なうためのペアリング開始指示を与える。これと並行して、ユーザは、電力消費情報の音声通知に関する設定を電源タップ１０１に対して行なう（ステップＳ１１）。
【００９０】
次に、電源タップ１０１における設定部１６は、ユーザの上記設定を受け付け、登録する。すなわち、設定部１６は、電源タップ１０１がホームゲートウェイ１０４と通信コネクションを確立するための処理を行なう際に、電力消費情報の音声提示に関するユーザの設定を受け付ける（ステップＳ１２）。
【００９１】
次に、ユーザが、電源タップ１０１に電気機器１２１を接続する（ステップＳ１３）。
【００９２】
次に、電源タップ１０１における電力伝達部１１は、外部から受けた電力を接続部１２経由で電気機器１２１に供給する（ステップＳ１４）。
【００９３】
次に、電源タップ１０１における測定部１３は、電力伝達部１１によって電気機器１２１に供給される電流を少なくとも測定する（ステップＳ１５）。
【００９４】
次に、電源タップ１０１は、登録済みの設定内容に基づいて、電力消費情報をユーザに提示する。すなわち、電源タップ１０１における音声提示制御部１４は、設定部１６によって受け付けられた設定に基づいて、電力消費情報をユーザに音声で提示する制御を行なう（ステップＳ１６）。
【００９５】
図９は、本発明の実施の形態に係る電源タップが備える設定ボタンを示す図である。
【００９６】
図９を参照して、電源タップ１０１における設定部１６は、設定ボタン４１〜４３を備える。
【００９７】
設定部１６は、通信コネクションを確立するための処理を行なう指示をユーザが電源タップ１０１に対して与えるための操作ボタン、および電力消費情報の音声提示に関する設定をユーザが電源タップ１０１に対して与えるための操作ボタンを含み、各操作ボタンは共通化されている。
【００９８】
たとえば、ユーザは、設定ボタン４１〜４３のいずれかを押下することにより、電源タップ１０１および無線アダプタ１０３間でペアリングを実行させる。
【００９９】
また、ユーザは、設定ボタン４１〜４３のいずれかを選択して押下することにより、音声通知の有無、通知条件／通知タイミング、および通知場所等を設定する。
【０１００】
なお、設定ボタン４１〜４３は、物理的なボタンであってもよいし、ＧＵＩ（Graphical User Interface）によるボタンであってもよい。
【０１０１】
図１０は、本発明の実施の形態に係る電源タップにおける音声通知設定の具体例を示す図である。
【０１０２】
図１０を参照して、設定１では、音声通知がオンであり、接続されている電気機器が冷蔵庫であり、設置場所がリビングであり、定期的すなわち１時間ごとに音声通知を行ない、通知場所は他の電源タップである。設定２では、音声通知がオンであり、接続されている電気機器がテレビであり、設置場所が部屋１であり、電気機器の消費電力が所定の閾値を超えると音声通知を行ない、通知場所は自己の電源タップである。設定３では、音声通知がオンであり、接続されている電気機器がエアコンであり、設置場所が部屋２であり、電気機器の消費電力が所定の閾値を超えると音声通知を行ない、通知場所はテレビである。
【０１０３】
たとえば、設定１を選択した場合には、他の電源タップから「リビングの冷蔵庫の消費電力は○○ワットです。」という音声が、１時間ごとに出力される。
【０１０４】
また、設定３の場合には、テレビから電力消費情報を音声で出力するのに加えて、電力消費情報を映像で出力することも可能である。
【０１０５】
なお、設定１〜設定３は、それぞれ設定ボタン４１〜４３に対応している。また、たとえば、ユーザが電源タップ１０１に対して電気機器１２１の名称および設置場所を音声入力しない場合には、電源タップ１０１に初期値として登録されている設定１〜設定３の機器名および設置場所が音声出力される。
【０１０６】
次に、本発明の実施の形態に係る電力管理システムにおいて、電力消費情報を他の電源タップから音声出力する際の動作について図面を用いて詳細に説明する。
【０１０７】
以下では、電力管理システム２０１において電源タップ１〜電源タップ３の３つが設けられており、電力消費情報の通知場所として他の電源タップが設定されている場合について説明する。
【０１０８】
電源タップ１０１において、電力消費情報の通知場所として他の電源タップが設定されている場合には、電源タップ１０１は、測定部１３の測定結果を示す電力消費情報を無線アダプタ１０３経由でホームゲートウェイ１０４へ送信する。
【０１０９】
ホームゲートウェイ１０４は、電源タップ１０１から受信した電力消費情報を他の電源タップ１０１へ転送する。
【０１１０】
電源タップ１０１は、無線アダプタ１０３経由でホームゲートウェイ１０４から受信した電力消費情報を音声で出力する。
【０１１１】
図１１は、本発明の実施の形態に係る電力管理システムが電力消費情報の転送および音声出力処理を行なう際の動作手順を定めたシーケンス図である。
【０１１２】
図１１を参照して、まず、電源タップ１〜電源タップ３は、自己に接続されている電気機器１２１への供給電流および供給電圧の少なくとも一方の測定を行なう（ステップＳ３１〜Ｓ３３）。
【０１１３】
次に、電源タップ１〜電源タップ３は、測定結果を示す電力消費情報をホームゲートウェイ１０４へ送信する（ステップＳ３４〜Ｓ３６）。
【０１１４】
次に、ホームゲートウェイ１０４は、電源タップ１〜電源タップ３から電力消費情報を受信して、電力消費情報の音声出力を行なうべき電源タップを選択する。すなわち、ホームゲートウェイ１０４は、複数の電源タップ１０１から受信した電力消費情報に基づいて、電力消費情報の転送先とすべき電源タップ１０１を選択する。ここでは、電源タップ１〜電源タップ３のうち、対応の電気機器１２１の消費電力が所定の閾値以上である電源タップ３が選択されたとする（ステップＳ３７）。
【０１１５】
次に、電源タップ１が、自己に接続されている電気機器１２１への供給電流および供給電圧の少なくとも一方の測定を行ない（ステップＳ３８）、測定結果を示す電力消費情報１をホームゲートウェイ１０４へ送信する（ステップＳ３９）。
【０１１６】
次に、ホームゲートウェイ１０４は、電源タップ１から受信した電力消費情報１を、事前に選択した電源タップ３へ転送する（ステップＳ４０）。
【０１１７】
次に、電源タップ３は、ホームゲートウェイ１０４から電力消費情報１を受信して、電力消費情報１を音声出力する（ステップＳ４１）。
【０１１８】
なお、ホームゲートウェイ１０４は、各電源タップから受信した電力消費情報の示す測定値に対して丸め処理、ならびに電流値および電圧値から電力値への算出等を行ない、電力消費情報として他の電源タップへ送信する構成であってもよい。あるいは、電力消費情報をホームゲートウェイ１０４から受信した電源タップ１０１が、このような演算を行ってもよい。
【０１１９】
また、ホームゲートウェイ１０４は、転送先の電源タップを事前に選択しておく構成に限らず、たとえば各電源タップから同時期に電力消費情報が送信される場合、各電源タップから電力消費情報を受信するたびに転送先の電源タップを選択する構成であってもよい。すなわち、ホームゲートウェイ１０４は、受信した各電源タップの電力消費情報に基づいて転送先の電源タップを選択し、選択基準となった各電力消費情報を転送する構成であってもよい。
【０１２０】
図１２は、本発明の実施の形態に係る電力管理システムが電力消費情報の転送および音声出力処理を行なう際の動作手順の他の例を定めたシーケンス図である。ここでは、電源タップ１〜電源タップ３のうち、電源タップ１および電源タップ３に電気機器が接続され、電源タップ２には電気機器が接続されていない場合について説明する。
【０１２１】
図１２を参照して、まず、電源タップ１は、自己に接続されている電気機器１２１への供給電流および供給電圧の少なくとも一方の測定を行なう（ステップＳ５１）。
【０１２２】
次に、電源タップ１は、測定結果を示す電力消費情報をホームゲートウェイ１０４へ送信する（ステップＳ５２）。
【０１２３】
次に、ホームゲートウェイ１０４は、電源タップ１から受信した電力消費情報を、電源タップ２および電源タップ３へ転送する（ステップＳ５３）。
【０１２４】
次に、電源タップ２および電源タップ３は、ホームゲートウェイ１０４から電力消費情報を受信して、受信した電力消費情報の音声出力を行なうべきか否かを判断する。より詳細には、電源タップ２および電源タップ３は、自己に接続された電気機器１２１の電力消費に関する測定結果に基づいて、ホームゲートウェイ１０４から受信した電力消費情報を音声で出力するか否かを判断する。
【０１２５】
電源タップ２は、自己に接続された電気機器１２１の消費電力が所定の閾値以上であるため、ホームゲートウェイ１０４から受信した電力消費情報の音声出力を行なう（ステップＳ５６）。
【０１２６】
一方、電源タップ３は、自己に電気機器１２１が接続されておらず、自己の測定結果の示す消費電力が上記所定の閾値未満であることから、ホームゲートウェイ１０４から受信した電力消費情報の音声出力を行なわない（ステップＳ５７）。
【０１２７】
なお、ホームゲートウェイ１０４は、各電源タップから受信した電力消費情報の示す測定値に対して丸め処理、ならびに電流値および電圧値から電力値への算出等を行ない、電力消費情報として他の電源タップへ送信する構成であってもよい。あるいは、電力消費情報をホームゲートウェイ１０４から受信した電源タップ１０１が、このような演算を行ってもよい。
【０１２８】
ところで、各電源タップによって収集された家庭内の電力消費情報は、ユーザがディスプレイを備えた装置等を用いて確認することが可能である。しかしながら、ユーザは、当該装置に対して何らかの操作を行って電力消費情報を取得する必要があるため、この作業が繁雑であると感じる場合もある。
【０１２９】
これに対して、本発明の実施の形態に係る電力計測装置では、電力伝達部１１は、外部から受けた電力を接続部１２経由で電気機器１２１に供給する。測定部１３は、電力伝達部１１によって電気機器１２１に供給される電流を少なくとも測定する。そして、音声提示制御部１４は、測定部１３の測定結果を示す電力消費情報をユーザに音声で提示する制御を行なう。
【０１３０】
このような構成により、ユーザは、電力消費情報を表示等するための装置に対して何らかの操作を行なうことなく、電力消費情報を確認することができるため、電力消費情報の確認作業を繁雑と感じることがなくなる。したがって、電気機器の電力消費情報をユーザに提示する構成において、ユーザの利便性を向上させることができる。
【０１３１】
また、本発明の実施の形態に係る電力計測装置では、録音部１８は、ユーザの音声を録音する。そして、音声提示制御部１４は、電力消費情報をユーザに音声で提示するとともに、録音部１８によって録音された音声をユーザに提示する制御を行なう。
【０１３２】
このような構成により、ユーザは、電源タップ１０１、ホームゲートウェイ１０４またはＤＰＦ１０５等に対するキーボード操作等によって各種情報を登録する必要がなくなるため、ユーザの利便性をさらに向上させることができる。
【０１３３】
また、本発明の実施の形態に係る電力計測装置では、音声提示制御部１４は、録音部１８によって録音された音声を、電気機器１２１の名称または設置場所としてユーザに提示する制御を行なう。
【０１３４】
このような構成により、ユーザは、たとえば家庭内における各電気機器の電力消費を把握するのに重要な情報である機器名称および設置場所を、キーボード操作等により入力することなく登録することができるため、ユーザの利便性をさらに向上させることができる。
【０１３５】
また、本発明の実施の形態に係る電力計測装置では、設定部１６は、電源タップ１０１がホームゲートウェイ１０４と通信コネクションを確立するための処理を行なう際に、電力消費情報の音声提示に関するユーザの設定を受け付ける。そして、音声提示制御部１４は、設定部１６によって受け付けられた設定に基づいて、電力消費情報をユーザに音声で提示する制御を行なう。
【０１３６】
このような構成により、ユーザは、電源タップの設置時に必要となる通信コネクション確立の際に音声通知の設定を行なうことができるため、ユーザの利便性をさらに向上させることができる。
【０１３７】
また、本発明の実施の形態に係る電力計測装置では、設定部１６は、電力消費情報を音声で出力するタイミングまたは条件に関する設定を受け付ける。
【０１３８】
このような構成により、電力消費情報の音声通知を、ユーザ所望のタイミングまたは条件で適切に行なうことができるため、ユーザの利便性をさらに向上させることができる。
【０１３９】
また、本発明の実施の形態に係る電力計測装置では、設定部１６は、電力消費情報を音声で出力する機器を特定するための設定を受け付ける。
【０１４０】
このような構成により、電力消費情報の音声通知を、ユーザ所望の場所で適切に行なうことができるため、ユーザの利便性をさらに向上させることができる。
【０１４１】
また、本発明の実施の形態に係る電力計測装置では、設定部１６は、通信コネクションを確立するための処理を行なう指示をユーザが電源タップ１０１に対して与えるための操作ボタン、および電力消費情報の音声提示に関する設定をユーザが電源タップ１０１に対して与えるための操作ボタンを含み、各操作ボタンは共通化されている。
【０１４２】
このような構成により、ユーザは、同じ操作ボタンを用いて通信コネクション確立処理の開始、および音声通知の設定の両方を行なうことができるため、ユーザの利便性をさらに向上させることができる。
【０１４３】
また、本発明の実施の形態に係る電力計測装置では、音声出力部１７は、音声提示制御部１４の制御に基づいて音声で電力消費情報を出力する。
【０１４４】
このように、電気機器が接続された電源タップから当該電気機器の電力消費情報を音声出力する構成により、ユーザは、音声出力されている電力消費情報に対応する電気機器をすぐに認識することができるため、ユーザの利便性をさらに向上させることができる。
【０１４５】
また、本発明の実施の形態に係る電力管理システムでは、電源タップ１０１は、電気機器１２１に供給される電流を少なくとも測定し、測定結果を示す電力消費情報をホームゲートウェイ１０４へ送信する。ホームゲートウェイ１０４は、電源タップ１０１から受信した電力消費情報を他の電源タップ１０１へ転送する。そして、他の電源タップ１０１は、ホームゲートウェイ１０４から受信した電力消費情報を音声で出力する。
【０１４６】
このような構成により、ユーザは、電力消費情報を表示等するための装置に対して何らかの操作を行なうことなく、電力消費情報を確認することができるため、電力消費情報の確認作業を繁雑と感じることがなくなる。また、電気機器が接続された電源タップ以外の電源タップから当該電気機器の電力消費情報を音声出力する構成により、各電源タップの設置環境に応じて適切な電源タップから音声出力を行なうことができる。したがって、電気機器の電力消費情報をユーザに提示する構成において、ユーザの利便性を向上させることができる。
【０１４７】
また、本発明の実施の形態に係る電力管理システムでは、ホームゲートウェイ１０４は、複数の電源タップ１０１から受信した電力消費情報に基づいて、電力消費情報の転送先とすべき電源タップ１０１を選択する。
【０１４８】
このような構成により、たとえば家庭内で稼働中の電気機器の設置場所において電力消費情報を音声出力する等、各電源タップの使用環境に応じて適切な電源タップから音声出力を行なうことができるため、電力消費情報をより効率的にユーザに提示することができる。
【０１４９】
また、本発明の実施の形態に係る電力管理システムでは、電源タップ１０１は、自己に接続された電気機器１２１の測定結果に基づいて、ホームゲートウェイ１０４から受信した電力消費情報を音声で出力するか否かを判断する。
【０１５０】
このような構成により、たとえば家庭内で稼働中の電気機器の設置場所において電力消費情報を音声出力する等、各電源タップの使用環境に応じて適切な電源タップから音声出力を行なうことができるため、電力消費情報をより効率的にユーザに提示することができる。
【０１５１】
また、本発明の実施の形態に係るホームゲートウェイでは、タップネットワーク通信部３１は、電力消費情報を電源タップ１０１から受信する。そして、制御部３４は、タップネットワーク通信部３１によって受信された電力消費情報を、音声出力させるためにタップネットワーク通信部３１を介して他の電源タップ１０１へ転送する。
【０１５２】
このような構成により、ユーザは、電力消費情報を表示等するための装置に対して何らかの操作を行なうことなく、電力消費情報を確認することができるため、電力消費情報の確認作業を繁雑と感じることがなくなる。また、電気機器が接続された電源タップ以外の電源タップから当該電気機器の電力消費情報を音声出力する構成により、各電源タップの設置環境に応じて適切な電源タップから音声出力を行なうことができる。したがって、電気機器の電力消費情報をユーザに提示する構成において、ユーザの利便性を向上させることができる。
【０１５３】
なお、本発明の実施の形態に係る電力管理システムにおいて、電源タップ１０１と同様の動作を、ＣＴクランプが行なう構成であってもよい。
【０１５４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１５５】
１１  電力伝達部
１２  接続部
１３  測定部
１４  音声提示制御部
１５  送受信部
１６  設定部
１７  音声出力部
１８  録音部
３１  タップネットワーク通信部（受信部）
３２  外部ネットワーク通信部
３３  ホームネットワーク通信部
３４  制御部（転送部）
１０１  電源タップ（電力計測装置）
１０２  分電盤
１０３  無線アダプタ
１０４  ホームゲートウェイ（管理装置）
１０５  ＤＰＦ
１０６  ホームネットワーク
１０７  テレビ
１０８  冷蔵庫
１０９  ＷｉＦｉネットワーク
１１０  パーソナルコンピュータ
１２１  電気機器
２０１  電力管理システム
【図１】
2013015350.tif 000003
【図２】
2013015350.tif 000004
【図３】
2013015350.tif 000005
【図４】
2013015350.tif 000006
【図５】
2013015350.tif 000007
【図６】
2013015350.tif 000008
【図７】
2013015350.tif 000009
【図８】
2013015350.tif 000010
【図９】
2013015350.tif 000011
【図１０】
2013015350.tif 000012
【図１１】
2013015350.tif 000013
【図１２】
2013015350.tif 000014